(57)【要約】【課題】ドアの開閉に対しても、内部温度の上昇を最大限抑制することにより、貯蔵物の新鮮な保管が可能であるとともに、消費電力を最小化させることができるキムチ冷蔵庫を提供すること。【解決手段】外観を形成する外部ケーシングと、外部ケーシングの内部に設けられ、上面が開口された貯蔵空間を形成する内部ケーシングとを有する本体と、本体の開口された上面を開閉するためのドアと、を備え、内部ケーシングは、管状のケーシング上部と、ケーシング上部の下方に結合され、ケーシング上部とは異種の材質で成形されるケーシング下部とで構成される。【選択図】図３
2006300511.tif 000002
【特許請求の範囲】
【請求項１】
外観を形成する外部ケーシングと、前記外部ケーシングの内部に設けられ、上面が開口された貯蔵空間を形成する内部ケーシングとを有する本体と、
前記本体の開口された上面を開閉するためのドアと、を備え、
前記内部ケーシングは、管状のケーシング上部と、前記ケーシング上部の下方に結合され、ケーシング上部とは異種の材質で成形されるケーシング下部とで構成されることを特徴とするキムチ冷蔵庫。
【請求項２】
前記ケーシング下部は、ケーシング上部よりも熱伝導度が低い材質で形成されることを特徴とする請求項１に記載のキムチ冷蔵庫。
【請求項３】
前記ケーシング下部は、ケーシング上部よりも熱伝導度が低く、比熱が大きい材質で形成されることを特徴とする請求項１に記載のキムチ冷蔵庫。
【請求項４】
前記ケーシング下部は、ケーシング上部よりも比熱が大きい材質で形成されることを特徴とする請求項１に記載のキムチ冷蔵庫。
【請求項５】
前記ケーシング上部は、アルミニウムで成形されることを特徴とする請求項１に記載のキムチ冷蔵庫。
【請求項６】
前記ケーシング下部は、スズで成形されることを特徴とする請求項１に記載のキムチ冷蔵庫。
【請求項７】
前記ケーシング上部とケーシング下部の連結部分には、アルミニウムテープが付着されていることを特徴とする請求項１に記載のキムチ冷蔵庫。
【発明の詳細な説明】
【技術分野】
【０００１】
本発明は、キムチ冷蔵庫に関し、より詳しくは、外部から侵入する高温に対して、内部の温度上昇を最大限抑制することができるように構成される内部ケーシングを備えるキムチ冷蔵庫に関する。
【背景技術】
【０００２】
図１は、チェストタイプのキムチ冷蔵庫の斜視図を例示的に示す図である。図示のように、チェストタイプのキムチ冷蔵庫（以下、キムチ冷蔵庫という）は、上面が開口され、内部に貯蔵空間１６を有する本体１０と、前記本体１０の上面の開口部を開閉するためのドア２０とを備えている。
【０００３】
また、前記本体１０は、金属板からなり、外観を形成する外部ケーシング１２と、前記外部ケーシング１２の内部に設けられ、上面が開口された貯蔵空間１６を形成する内部ケーシング１４とで構成されている。前記外部ケーシング１２と内部ケーシング１４との間には、断熱層が形成されている。前記内部ケーシング１４は、アルミニウム等のような熱伝導性が高い材質からなっている。また、前記ドア２０は、ヒンジ２２によって本体１０に連結されており、回動するとともに、前記本体１０の貯蔵空間１６を開閉するようになる。
【０００４】
図２に示すように、キムチ冷蔵庫には、前記内部ケーシング１４の内部に貯蔵されるキムチ等の飲食物を、冷蔵状態で貯蔵するための冷気を形成する熱交換器と、キムチの熟成の際に必要なヒータとが共に設置されている。また、キムチ冷蔵庫の内部の貯蔵空間１６の空気の対流を考慮して、前記内部ケーシング１４の外周縁の上部側には、蒸発器が設けられ、内部ケーシング１４の外周縁の下部側には、ヒータが設けられている。一般に、直接冷却方式を採用しているキムチ冷蔵庫において、前記蒸発器は、前記内部ケーシング１４の上部外周縁を繰り返して取り囲む冷媒管１８で構成される。また、前記内部ケーシング１４の下端部の外周縁には、ヒータ１９が設けられている。前記冷媒管１８とヒータ１９は、それぞれ、キムチの貯蔵に必要な冷気と、キムチの熟成に必要な熱を提供するようになる。
【０００５】
このように、前記冷媒管１８とヒータ１９との熱交換を最も効率よく行うために、従来の内部ケーシング１４は、アルミニウム等のように、熱伝導性の高い単一の材質からなっている。前記冷媒管１８及びヒータ１９は、熱伝導度の高いアルミニウムテープＴａ、Ｔｂ等によって、前記内部ケーシング１４の外側面に付着される。
【０００６】
このように構成される従来のキムチ冷蔵庫において、内部の貯蔵物を出したり、内部に貯蔵物を入れたりするために、ドア２０を開放すると、相対的に高温状態である外部空気が内部に浸透するようになる。前記貯蔵空間１６の内部に高温状態の外部空気が浸透するようになると、内部ケーシング１４の上部は、高温環境にさらされる状態となる。また、熱伝導度の高い材質で成形される前記内部ケーシング１４の上部は、高温化しやすく、更に、単一の材質で形成された前記内部ケーシング１４の下部まで温度が速く上昇するようになる。これは、実質的に内部ケーシング１４によって形成される内部の貯蔵空間の温度が速く高くなることを意味する。
【０００７】
上述した構成の従来のキムチ冷蔵庫によると、実質的に、ドアの開閉によって、冷蔵庫の内部温度が容易に上昇し、このような現象によって、実質的に内部に貯蔵中である貯蔵物の新鮮度に悪影響を及ぼすだけでなく、消費電力が増加するという短所もあった。
【発明の開示】
【発明が解決しようとする課題】
【０００８】
本発明は、上記問題点に鑑みなされたものであり、ドアの開閉に対しても、内部温度の上昇を最大限抑制することにより、貯蔵物の新鮮な保管が可能であるとともに、消費電力を最小化させることができるキムチ冷蔵庫を提供することを目的とする。
【課題を解決するための手段】
【０００９】
上記の目的を達成するため、本発明に係るキムチ冷蔵庫は、外観を形成する外部ケーシングと、前記外部ケーシングの内部に設けられ、上面が開口された貯蔵空間を形成する内部ケーシングとを有する本体と、前記本体の開口された上面を開閉するためのドアと、を備え、前記内部ケーシングは、管状のケーシング上部と、前記ケーシング上部の下方に結合され、ケーシング上部とは異種の材質で成形されるケーシング下部とで構成されることを基本的な技術的思想としている。
【００１０】
前記ケーシング下部は、ケーシング上部よりも熱伝導度が低い材質で形成される。
【００１１】
前記ケーシング下部は、ケーシング上部よりも熱伝導度が低く、比熱が大きい材質で形成される。
【００１２】
前記ケーシング下部は、ケーシング上部よりも比熱が大きい材質で形成される。
【００１３】
前記ケーシング上部は、アルミニウムで成形されている。
【００１４】
前記ケーシング下部は、スズで成形される。
【００１５】
また、前記ケーシング上部とケーシング下部の連結部分には、アルミニウムテープが付着されていることが好ましい。
【００１６】
このような本発明による内部ケーシングを適用することにより、キムチ冷蔵庫の内部の貯蔵空間は、ドアを開放したとき、温度変化を最小化すると共に、ドアを閉鎖したとき、内部をより迅速に冷蔵状態とすることができる。したがって、貯蔵物をより新鮮に保管すると共に、消費電力を最小化することができる。
【発明の効果】
【００１７】
本発明によると、ドアの開放状態では、ケーシング上部１２２が外気にさらされて温度が上昇するが、このように伝導される熱は、ケーシング下部１２４までは容易に伝達されない。したがって、貯蔵空間の下部まで、容易に高温化することを防止することができることは当然である。また、ドアを閉鎖すると、冷媒管によって、熱伝導度が高いケーシング上部１２２は迅速に冷却され得る。また、比熱の高いケーシング下部１２４での熱が、比熱が低く、熱伝導度に優れたケーシング上部１２２まで容易に伝達されるので、ケーシング上部１２２の周辺及びケーシング上部の内側の貯蔵空間は、より迅速に冷蔵状態を維持することができるようになる。したがって、ドアの開閉による温度変化に対しても、貯蔵空間の温度を迅速に低温状態に戻すことができ、内部の温度変化が少なく、より均一な冷蔵状態を持続することができるという長所が期待される。このような本発明によると、実質的にドアの開閉による内部の貯蔵空間の温度変化を最小化することができるので、貯蔵物の保管状態を相対的に新鮮に維持することができると共に、消費電力を最小化することができるという長所がある。
【発明を実施するための最良の形態】
【００１８】
以下、本発明の好ましい実施の形態を、添付図面に基づいて詳しく説明する。
【００１９】
図３は、本発明に係るキムチ冷蔵庫のドア開放状態を示す斜視図であり、図４は、本発明に係るキムチ冷蔵庫の内部ケーシングを示す斜視図である。
【００２０】
図示のように、本発明に係るキムチ冷蔵庫は、上方が開口され、内部に所定の貯蔵空間１５０を形成する本体１００と、前記本体１００の開口された上面を開閉するためのドア２００とで構成されている。
【００２１】
前記ドア２００と本体１００の内部には、断熱のための発泡断熱層が形成され、冷蔵庫の内外部を断熱させるようになる。前記ドア２００は、本体１００の後端部において、ヒンジ２１０を介して連結されているので、本体に対して回動しながら、前記本体１００の内部の貯蔵空間１５０を開閉するように設置される。
【００２２】
また、前記本体１００は、鉄板からなり、キムチ冷蔵庫の外観を形成する外部ケーシング１１０と、前記外部ケーシング１１０の内部に設置され、所定の貯蔵空間１５０を形成する内部ケーシング１２０とで構成される。前記外部ケーシング１１０は、実質的にキムチ冷蔵庫の外観を形成する。また、前記内部ケーシング１２０は、上面が開口された容器形状を有しており、実質的にキムチ冷蔵庫の貯蔵空間１５０を形成する部分である。
【００２３】
また、前記外部ケーシング１１０と内部ケーシング１２０との間には、発泡断熱材が充填されることにより形成される断熱層が設けられる。また、前記本体１００の前面の上端部には、キムチ冷蔵庫の動作を制御するための複数の動作制御ボタンと、キムチ冷蔵庫の現在の駆動状態を知らせるためのディスプレイ部等を含む制御パネル２２０が設置されている。
【００２４】
図４に示すように、本発明による内部ケーシング１２０は、筒状のケーシング上部１２２と、前記ケーシング上部１２２の下方に結合されるケーシング下部１２４とで構成される。前記ケーシング上部１２２とケーシング下部１２４が結合されると、上面が開口された貯蔵空間１５０を形成する内部ケーシング１２０が完成される。
【００２５】
また、前記ケーシング上部１２２の外周縁を、冷媒管１３２が取り囲んでいる。前記冷媒管１３２は、熱交換器としての機能を行うものであって、内部を流れる液相の冷媒が気化しながら、前記ケーシング上部１２２を冷却させるようになる。また、ケーシング下部１２４の外周縁には、ヒータ１３４が設置されている。前記ヒータ１３４は、キムチの熟成に必要な熱を、内部ケーシング１２０に伝達するために設置されるものである。また、図示した実施例において、前記冷媒管１３２とヒータ１３４は、アルミニウムテープＴａ、Ｔｂによって、前記ケーシング上部１２２及びケーシング下部１２４の外側面に固定されている。
【００２６】
本発明の前記ケーシング上部１２２は、熱伝導度が相対的に高い材質、例えば、アルミニウムまたは銅等で形成される。前記ケーシング上部１２２は、従来の内部ケーシングと同様に、前記アルミニウムで形成することが好ましい。前記ケーシング上部１２２を熱伝導度が高い材質で形成することは、前記ケーシング上部１２２と、前記ケーシング上部１２２の外周縁を取り囲んでいる冷媒管１３２との間で、熱伝達が効率的に行われるようにすることにより、内部の貯蔵空間１５０をより効率的に冷却させることができるようにするためである。
【００２７】
また、前記ケーシング上部１２２は、比熱の低い材質で形成することが好ましい。このように、ケーシング上部１２２を比熱の低い材質で形成することは、外部から浸透する高温状態の外気に対して、熱蓄積を最小化するためであると言える。すなわち、キムチ冷蔵庫のドア２００が開放され、前記ケーシング上部１２２が、相対的に高温状態の外気にさらされた場合、熱伝達による熱蓄積を最小化することにより、ドアを閉鎖すると、最大限迅速に冷蔵状態を維持することができるようになる。
【００２８】
また、前記ケーシング上部１２２の下方には、相対的に熱伝導度の低い材質で形成されるケーシング下部１２４が結合されている。前記ケーシング下部１２４は、ケーシング上部に比べて相対的に熱伝導度の低い材質で形成される。例えば、前記ケーシング下部１２４は、ケーシング上部１２２よりも熱伝導度の低いスズのような金属材質または合成樹脂、ガラス等のような材質で形成されてもよい。このように、前記ケーシング下部１２４を熱伝導度の低い材質で形成することにより、ケーシング上部１２２から伝導される熱伝達を最大限抑制するためである。
【００２９】
前記ケーシング下部１２４を成形可能な例示的な材質であるスズは、炭素族元素であり、空気中において変化し難い性質のために、鉄、銅等の表面メッキに適用可能であり、最大の長所である人体への無害性により、食料品と関連した装置の材料及び殺菌剤、抗菌剤としても用いられている。
【００３０】
また、スズは、アルミニウムと同一の２３．５×１０-6の熱膨張係数ＣＴＥを有するのに対して、熱伝導率ＴＣは、アルミニウムの２３８Ｗ／ｍｋよりも小さい７３．２Ｗ／ｍｋを有することにより、熱伝導を用いた前記内部ケーシング１２０の温度制御に適用可能なことは自明である。
【００３１】
また、前記ケーシング下部１２４は、比熱の大きい材質のもので形成することが好ましい。前記ケーシング下部１２４を、比熱の大きい材質のもので形成すると、前記ケーシング下部１２４と、比熱の低い材質で成形されたケーシング上部１２２との間の熱伝達が充分に行われることになる。すなわち、ドアの開閉後は、相対的にケーシング上部１２２の温度がケーシング下部１２４の温度よりも高い状態であると言えるが、このような状態で、比熱の大きい材質のケーシング下部１２４と、ケーシング上部１２２との間の熱伝導が、十分に行われることにより、実質的に内部の貯蔵空間１５０を迅速に冷却させることができる。
【００３２】
また、前記ケーシング上部１２２とケーシング下部１２４は、完全に密着して固定されることが好ましい。このようなケーシング上部１２２とケーシング下部１２４のより完全な固定及び密閉のために、本実施の形態では、接着テープを用いることができるが、例えば、アルミニウムテープのように熱伝導度に優れた材質のテープを用いることが好ましい。或いは、前記ケーシング上部１２２とケーシング下部１２４を互いに結合させ、上面が開口された貯蔵空間である内部ケーシング１２０を形成するためには、上記した接着テープ以外にも、他の様々な方法で実施し得ることは自明である。
【００３３】
以下、このような構成を有する本発明に係るキムチ冷蔵庫の熱伝達について説明する。図５に示すように、ドア２００を開放すると、内部ケーシング１２０のケーシング上部１２２が、最初に高温状態の外気にさらされて高温化する。すなわち、前記ケーシング上部１２２の上端部が外気により高温化し、このような熱は、矢印で示すように、次第に下方へ伝達される。しかしながら、本発明によると、前記ケーシング上部１２２がさらされて高温化しても、ケーシング下部１２４の材質が相対的に熱伝導度が低い材質であるため、貯蔵空間の内部までは、高温の外気による温度変化を最小化させることができる。
【００３４】
また、図６に示すように、ドア２００の閉鎖状態となると、冷媒管１３２と接触しているケーシング上部１２２の熱伝導度が高いため、迅速に低温状態に戻るようになる。また、これと同時に、矢印で示すように、ケーシング下部１２４の比熱が大きく、ケーシング上部１２２の熱伝導度が高いので、ケーシング下部１２４との熱交換作用が加えられ、相対的に高温化しているケーシング上部１２２も迅速に冷却され得る。
【００３５】
上述したような本発明の基本的な技術的思想の範囲内で、当業者にとっては、他の様々な変形が可能であることはもとより、本発明は、特許請求の範囲に基づいて解釈されなければならない。
【図面の簡単な説明】
【００３６】
【図１】従来のキムチ冷蔵庫を示す斜視図である。
【図２】従来のキムチ冷蔵庫の内部ケーシングを示す斜視図である。
【図３】本発明に係るキムチ冷蔵庫のドア開放状態を示す斜視図である。
【図４】本発明に係るキムチ冷蔵庫の内部ケースを示す斜視図である。
【図５】本発明に係るキムチ冷蔵庫のドア開放状態を示す断面図である。
【図６】本発明に係るキムチ冷蔵庫のドア閉鎖状態を示す断面図である。
【符号の説明】
【００３７】
１００    本体
１１０    外部ケーシング
１２０    内部ケーシング
１２２    ケーシング上部
１２４    ケーシング下部
１３２    冷媒管
１３４    ヒータ
１５０    貯蔵空間
２００    ドア
２１０    ヒンジ
２２０    制御パネル
Ｔａ、Ｔｂ    アルミニウムテープ
【図１】
2006300511.tif 000003
【図２】
2006300511.tif 000004
【図３】
2006300511.tif 000005
【図４】
2006300511.tif 000006
【図５】
2006300511.tif 000007
【図６】
2006300511.tif 000008